(57)【要約】【課題】変動可能な腕部を介して上下方向の風向を制御する風向変更羽根を具備した空気調和機において、吹出し空気が吸込口から吸い込まれないようにして、ショートサーキットを防止すること。【解決手段】前面側吸込口５ａを開閉するパネル２０と、吹出口６に配置される風向変更羽根３０とを有し、風向変更羽根３０が変動可能な腕部３１を介して上下方向の風向を制御する空気調和機であって、吸込口５の吹出口６側に中羽根４０を設け、パネル２０周辺から前面側吸込口５ａに流入する空気の流れを中羽根４０の動作及び位置によって制御することを特徴とする空気調和機。【選択図】図１
2007225245.tif 000002
【特許請求の範囲】
【請求項１】
吸込口を開閉するパネルと、吹出口に配置される風向変更羽根とを有し、前記風向変更羽根が変動可能な腕部を介して上下方向の風向を制御する空気調和機であって、前記吸込口の前記吹出口側に中羽根を設け、前記パネル周辺から前記吸込口に流入する空気流れを前記中羽根の動作によって制御するとともに、前記中羽根を前記パネルの裏面下部に当接させることで位置決めを行う構成としたことを特徴とする空気調和機。
【請求項２】
中羽根の駆動機構部を、吹出口の上面と前面側の吸込口の下端との間に配設したことを特徴とする請求項１に記載の空気調和機。
【請求項３】
本体の通常運転時の中羽根の収納位置を、前面側の吸込口の下端よりも下方に位置するように構成したことを特徴とする請求項１または２に記載の空気調和機。
【請求項４】
中羽根に段差部を設けたことを特徴とする請求項１〜３のいずれか１項に記載の空気調和機。
【請求項５】
中羽根の長さを、風向変更羽根の長さより短くしたことを特徴とする請求項１〜４のいずれか１項に記載の空気調和機。
【発明の詳細な説明】
【技術分野】
【０００１】
本発明は、室内の冷暖房を行う空気調和機に関する。
【背景技術】
【０００２】
従来、上下風向制御板を上羽根と下羽根で構成し、上羽根と下羽根とをともに下方向に向けるとともに、上羽根を下羽根との平行位置より更に下方向に向け、下羽根を上羽根との平行位置より更に上方向に向けるようにした空気調和機がある（例えば、特許文献１参照）。
【０００３】
しかし、この空気調和機では、縮流効果により温風の風速を増し、速やかに床面付近の温度を上昇させることはできるが、冷房時には、冷風を部屋の遠方まで運びにくく、室内の居住者に冷風が直接あたって肌寒さを感じさせるという課題を有していた。
【０００４】
そこで本発明者らは、冷房時には気流感のない、暖房時には頭寒足熱の快適な住環境を創り出す空気調和機の風向制御装置を既に提案している（例えば、特許文献２参照）。
【０００５】
特許文献２で提案した空気調和機は、空気調和機の吹き出し口に、変動可能な腕部を介して上下方向の風向を制御する風向変更羽根を具備したものである。そしてこの構成によれば、変化に富んだ気流を生成することができる。
【特許文献１】特開平５−６０３６５号公報
【特許文献２】特開２００２−３１４００号公報
【発明の開示】
【発明が解決しようとする課題】
【０００６】
しかし、特許文献２で提案した空気調和機では、冷風を部屋の遠方まで運ぶことができる反面、空気調和機の吸込口の配置や構成によっては、ショートサーキットを生じてしまう可能性がある。
【０００７】
そこで本発明は、変動可能な腕部を介して上下方向の風向を制御する風向変更羽根を具備した空気調和機において、吹出し空気が吸込口から吸い込まれないようにして、ショートサーキットを防止することを目的とする。
【課題を解決するための手段】
【０００８】
上記課題を解決するために本発明の空気調和機は、吸込口を開閉するパネルと、吹出口に配置される風向変更羽根とを有し、前記風向変更羽根が変動可能な腕部を介して上下方向の風向を制御する空気調和機であって、前記吸込口の前記吹出口側に中羽根を設け、前記パネル周辺から前記吸込口に流入する空気流れを前記中羽根の動作によって制御するとともに、前記中羽根を前記パネルの裏面下部に当接させることで位置決めを行う構成としたことを特徴とするものである。
【発明の効果】
【０００９】
本発明によれば、変化に富んだ気流を生成することができるとともに、吹出空気が吸込口から流入することを中羽根によって確実に防止できる。
【発明を実施するための最良の形態】
【００１０】
本発明の第１の発明は、吸込口を開閉するパネルと、吹出口に配置される風向変更羽根とを有し、前記風向変更羽根が変動可能な腕部を介して上下方向の風向を制御する空気調
和機であって、前記吸込口の前記吹出口側に中羽根を設け、前記パネル周辺から前記吸込口に流入する空気流れを前記中羽根の動作によって制御するとともに、前記中羽根を前記パネルの裏面下部に当接させることで位置決めを行う構成としたことを特徴とするもので、吹出空気が吸込口から流入することを中羽根によって確実に防止することができる。
【００１１】
本発明の第２の発明は、第１の発明において、中羽根の駆動機構部を、吹出口の上面と前面側の吸込口の下端との間に配設したことを特徴とするもので、省スペースで効率よく中羽根機構を設置することができる。
【００１２】
本発明の第３の発明は、第１または第２の発明において、本体の通常運転時の中羽根の収納位置を、前面側の吸込口の下端よりも下方に位置するように構成したことを特徴とするもので、前面からの吸入空気を確実に吸込むことができ基本性能が確保できるものである。
【００１３】
本発明の第４の発明は、第１〜第３のいずれかの発明において、中羽根に段差部を設けたもので、吹出口上面と同一面の位置まで中羽根の可動範囲を広げることができ、多様な風向制御が可能になる。
【００１４】
本発明の第５の発明は、第１〜第４のいずれかの発明において、中羽根の長さを風向変更羽根の長さより短くしたもので、風向変更羽根の右側上部に内外接続電線の工事作業スペースを確保することができ、スムースな作業ができるものである。
【００１５】
以下、本発明の実施の形態について、図面を参照しながら説明する。なお、この実施の形態によって本発明が限定されるものではない。
【００１６】
（実施の形態１）
以下、本発明の第１の実施の形態について図面を参照して説明する。
【００１７】
図１は、本発明の第１の実施の形態による空気調和機の横断面図、図２は、図１の部分詳細図、図３は、同空気調和機の正面図である。
【００１８】
空気調和機１０は、その本体内部に熱交換器１と、送風ファン２と、水受け皿３と、ディフューザー４とを有している。熱交換器１は、送風ファン２の上流側に配置され、水受け皿３は、熱交換器１の下端部側に配置されている。ディフューザー４は、送風ファン２の下流側の通風路を形成している。熱交換器１の空気上流側には、集塵機能を有するフィルター装置５０が設けられている。
【００１９】
空気調和機１０は、その本体の前面上部と上面に吸込口５を形成し、その本体の前面下部から下面にかけて吹出口６を形成している。熱交換器１は、吸込口５ａ、５ｂに対向する位置に配置され、ディフューザー４の下流側端部６ａによって囲まれる仮想面が吹出口６を構成する。
【００２０】
空気調和機１０は、前面側吸込口５ａを開閉するパネル２０と、吹出口６を開閉する風向変更羽根３０と、前面側吸込口５ａの吹出口６側で開閉する中羽根４０とを備えている。風向変更羽根３０は、孤を描く横断面形状であり、一方の面は湾曲凹面が形成され、他方の面は湾曲凸面が形成されている。パネル２０、風向変更羽根３０、及び中羽根４０が全て閉塞した状態では、中羽根４０の少なくとも上端側はパネル２０によって覆われ、中羽根４０の少なくとも下端側は風向変更羽根３０によって覆われる。また、中羽根４０は、開状態では、パネル２０の下端側から吸込口５に流入する空気を阻止する。
【００２１】
パネル駆動機構２１は、パネル２０の背面側に設けられ、前面側吸込口５ａを開閉するようにパネル２０を動作する。パネル２０が前面側吸込口５ａに最も近接した状態では、前面側吸込口５ａを閉塞し、パネル２０が前面側吸込口５ａから離間した状態では、パネル２０の外周部から前面側吸込口５ａに空気が流入する。
【００２２】
腕部３１は、その一端側を空気調和機１０の本体内に回動自在に保持され、その他端側に風向変更羽根３０を回動自在に保持している。腕部３１は、図１に示すように、第１の腕部３１ａと第２の腕部３１ｂで構成することが好ましい。第１の腕部３１ａの一端側は空気調和機１０の本体内で回動自在に保持されている。第１の腕部３１ａの他端側は第２の腕部３１ｂの一端側と回動自在に連結されている。
【００２３】
そして第２の腕部３１ｂの他端側に、風向変更羽根３０を回動自在に保持している。風向変更羽根３０は、閉塞時に空気調和機１０の本体側となる裏面に回転支持部３２を形成している。第２の腕部３１ｂの他端側とこの回転支持部３２とが回動自在に連結されている。
【００２４】
腕部３１は、図２に示すように、空気調和機１０の本体の両側部に設けられ、それぞれの腕部３１は、連結棒３３によって連結されている。また、一方の腕部３１の側部には腕部用モータ３４が配置されている。腕部用モータ３４の回動は、一方の腕部３１だけでなく、連結棒３３によって他方に配置された腕部３１にも伝達される。
【００２５】
一方の腕部３１の側部には羽根用モータ３５も配置されている。羽根用モータ３５は、駆動伝達機構（図示せず）によって、その回転を第２の腕部３１ｂの他端側と回転支持部３２との回動支点に伝達し、腕部３１に対して風向変更羽根３０を回動させる。
【００２６】
回転支持部３２は、図２に示すように、風向変更羽根３０の両端部から所定寸法を有して風向変更羽根３０の裏面の両側部に設けられている。なお、図２では、一対の回転支持部３２を示しているが、風向変更羽根３０の長さに応じて一対の回転支持部３２の間に更に他の回転支持部３２を設けてもよい。中羽根駆動機構４１は、中羽根４０の背面側に設けられ、吸込口５を開閉するように中羽根４０を動作する。
【００２７】
中羽根駆動機構４１とパネル駆動機構２１との動作タイミングは、動作制御部（図示せず）によって制御される。また、この動作制御部によって、腕部用モータ３４及び羽根用モータ３５の駆動も制御する。なお、図示はしないが、空気調和機１には、左右方向風向変更羽根や熱交換温度検出器を有するとともに、圧縮機、膨張機、及び室外側熱交換器などを備えた室外ユニットを備えている。
【００２８】
そして、図２に示すように、中羽根４０の先端部４３をパネル２０の裏面下部２２に当たる位置まで作動させることにより中羽根４０の位置決め、及びシール性の向上が図られる。さらに、図２に示すように、中羽根駆動機構４１を吹出口６の吹出し上面６ｂと前面側吸込口５ａの下端との間に設置してある。
【００２９】
図４に示すように、空気調和機１０の通常運転時の中羽根４０の収納位置は、前面側吸込口５ａの下端よりも下方に位置するよう設置してある。図５、図６に示すように、中羽根４０に段差部４２を設けて、吹出口上面６ｂと同一面の位置まで中羽根４０の可動範囲が広く取れるようにしてある。なお、図３に示すように、中羽根４０の長さを風向変更羽根３０の長さよりＡ寸法分短くし、風向変更羽根３０の右側上部に内外接続電線の工事作業スペースを確保している。
【００３０】
上記、実施の形態により、吹出しの空気が吸込口から流入することがないように、中羽
根４０の位置を確実に決めることができる。さらに、省スペース化、性能の安定化、中羽根４０の可動範囲の拡大化、工事性の安定化を図ることができる。
【産業上の利用可能性】
【００３１】
本発明の空気調和機は、室内の冷暖房の他、除湿や除塵機能を有する空気清浄装置にも適用できる。
【図面の簡単な説明】
【００３２】
【図１】本発明の第１の実施の形態による空気調和機の横断面図
【図２】図１の部分詳細図
【図３】本発明の第１の実施の形態による空気調和機の正面図
【図４】同他の空気調和機の横断面図
【図５】同空気調和機の横断面の部分詳細図
【図６】同空気調和機の部品単体図
【図７】同空気調和機の停止状態を示す横断面図
【符号の説明】
【００３３】
１  熱交換器
２  送風ファン
５ａ  前面側吸込口
６  吹出口
６ｂ  吹出し上面
２０  パネル
２１  パネル駆動機構
２２  パネル裏面下部
３０  風向変更羽根
３１  腕部
３２  回転支持部
３３  連結棒
３４  腕部用モータ
４０  中羽根
４１  中羽根駆動機構
４２  段差部
４３  先端部
【図１】
2007225245.tif 000003
【図２】
2007225245.tif 000004
【図３】
2007225245.tif 000005
【図４】
2007225245.tif 000006
【図５】
2007225245.tif 000007
【図６】
2007225245.tif 000008
【図７】
2007225245.tif 000009